(57)【要約】【課題】泡立ち補助用の小孔が設けられた直方体の払拭具について、その孔詰まりを防止し、孔を起点とする損耗を防止し、かつ泡立ち性能を向上させる。【解決手段】払拭具１０の両端面１４、１４間のみに、空気が流通可能な貫通小孔１５を複数設ける。洗浄対象物にこすり付けられる上下面１１、１２には小孔が設けられていないので、小孔に汚れや塵埃が詰まったりすることがなく、衛生的であり、体裁もよく、詰まりによる泡立ち性能の低下も生じない。払拭具１０を握った際に指が強く押し付けられる側面１３にも小孔が設けられていないため、損耗しにくい。指で小孔の蓋をして空気の入り込みを阻害することもない。貫通小孔１５は、払拭具１０の使用後は水切り孔として機能するため、水切り性能にも優れる。【選択図】図１
0003173297.tif 000002
【実用新案登録請求の範囲】
【請求項１】
樹脂製で多孔質の弾性を有する直方体から形成されており、
その外面が、面積の一番大きな対向一対の上面および下面と、前記上下面の長手方向の両側辺間に位置する面積の二番目に大きな対向一対の側面と、前記上下面の長手方向の両端辺間に位置する面積の一番小さな対向一対の端面と、からなり、
その両端面間のみに、空気が流通可能な貫通小孔を複数有している払拭具。
【請求項２】
前記貫通小孔の孔径は、２〜７ｍｍである請求項１に記載の払拭具。
【請求項３】
前記上下面間に発泡樹脂層および／または不織布層が複数層積層されており、
前記貫通小孔は、その複数層のうちの一層の外面に形成されている溝の上部が、隣接する他層に閉塞されることで形成されている請求項１または２に記載の払拭具。
【請求項４】
前記複数層のうちの最外層が、セルの脱膜処理がほぼ完全に施された発泡樹脂層であり、
前記複数層のうちの溝が形成されている層が、セルに膜が残存する発泡樹脂層である請求項３に記載の払拭具。
【考案の詳細な説明】
【技術分野】
【０００１】
本考案は、払拭具に関する。
【背景技術】
【０００２】
樹脂発泡体や不織布などの樹脂製の弾性を有する多孔質体からなる払拭具が汎用されている。
図３を参照して、この種の払拭具２０のうち、直方体（ブロック型）のものの外面は、面積の一番の大きな対向一対の上面２１および下面２２と、この上下面の長手方向の両側辺間に位置する面積の二番目に大きな対向一対の側面２３、２３と、この上下面の長手方向の両端辺間に位置する面積の一番小さな対向一対の端面２４、２４と、からなる。
そして、通常の使用状態では、面積の一番大きな上面２１および下面２２が洗浄対象物に擦りつける払拭面になる。
【０００３】
ところで一般に払拭具２０では泡立ち性能が重視されるところ、洗浄剤の泡立ちを良くするためには、その洗浄剤によく空気を含ませる必要があるという知見がある。
【０００４】
そこで同図に示すように、直方体の払拭具２０について、上面２１や下面２２に多数の小孔２５を設けたものが考案されている（特許文献１および２参照）。この小孔２５に空気が入り込むことで、洗浄剤が空気を含みやすくなり、泡立ちがよくなる。
なお、以下、本明細書でいう小孔とは、払拭具の素材（多孔質体）に由来する微細孔は除外する趣旨であり、またそのような素材に由来する微細孔よりも孔径が大きいことを意味する。
【先行技術文献】
【特許文献】
【０００５】
【特許文献１】特開２０１０‐１４８５２９号公報
【特許文献２】意匠登録第１１４７５０３号公報
【考案の概要】
【考案が解決しようとする課題】
【０００６】
しかし、通常の使用状態で浄対象物に擦りつけられる上面や下面に、小孔が設けられている場合には、この小孔に洗浄対象物から剥がれた汚れや塵埃が入り込みやすい問題がある。
こうして小孔に大きな汚れや塵埃が詰まったりすると、見た目が悪く、不衛生であり、また小孔に空気が入り込みにくくなって泡立ち性能も低下してしまう。
さらに特許文献１の図４や特許文献２の平面図や底面図では、小孔は上下面間を貫通しておらず、内部で終端しているが、このように小孔が貫通していない場合には、空気の流通性が悪く、空気が入り込みにくいため改善の余地がある。
【０００７】
いっぽう、払拭具の側面に小孔を設けることも考えられるが、通常の使用状態では、払拭具の下面（または上面）から両側面にかけてを手で握って使用されるため、小孔が指で蓋をされてしまい、空気が入りにくくなって十分な泡立ち性能を発揮できない。
また、小孔が設けられて脆弱化した側面に指先が強く押し付けられることになるため、払拭具が損耗しやすい。
【０００８】
そこで本考案の解決すべき課題は、泡立ち補助用の小孔が設けられた直方体の払拭具について、その孔詰まりを防止し、孔を起点とする損耗を防止し、かつ泡立ち性能を向上させることである。
【課題を解決するための手段】
【０００９】
上記課題を解決するため、本考案の直方体の払拭具では、両端面間のみに、空気が流通可能な貫通小孔を複数設けたのである。この貫通小孔の孔径は、２〜７ｍｍであるのが好ましい。
なお、ここでいう直方体には、各面の境界が面取り加工されていたり、角部がアールに形成されていたりするなど、ほぼ直方体のものも含まれる。また、両端面間のみに貫通小孔を設けるとは、上下面や両側面には、小孔を設けない趣旨である。孔径とは、例えば楕円孔や角孔であるばあいには、その長径をいい、多角孔である場合には、その孔縁間の最大距離をいう。
【００１０】
本考案の払拭具は、その上下面間に発泡樹脂層および／または不織布層が複数層積層されており、貫通小孔は、その複数層のうちの一層の外面に形成されている溝の上部が、隣接する他層に閉塞されることで形成されているのが好ましい。
また複数層のうちの最外層が、脱膜処理が施された発泡樹脂層であり、複数層のうちの溝が形成されている層が、膜が残存する発泡樹脂層であるのがなお好ましい。
【考案の効果】
【００１１】
払拭具に、両端面間のみを貫通する空気が流通可能な小孔を設けたので、線材の泡立ちを向上させることができる。とくに小孔は貫通孔であるため、非貫通孔に比べるとより空気が流通しやすく、一層泡立ち性能が向上している。払拭具の使用後には、この貫通小孔は、水切りを促進する水切り孔として機能する。
【００１２】
洗浄作業時に洗浄対象物にこすり付けられる上下面には小孔が設けられていないので、小孔に洗浄対象物からの汚れや塵埃が詰まったりすることがなく、衛生的であり、体裁もよい。そして、小孔に汚れや塵埃が詰まらないことから、泡立ち性能が低下することもない。
払拭具を握った際に指が強く押し付けられる側面には、小孔が設けられていないため、損耗しにくく、耐久性にも問題がない。指で小孔に蓋をしてしまい、空気の入り込みを阻害することも生じないため、泡立ち性能が低下することがない。
【００１３】
払拭具が複数層の発泡樹脂層等を積層して形成されている場合には、その一層の外面に溝を形成してこれを隣接層で両端の開口を除いて閉塞するように構成すると、貫通する小孔の形成が容易である。
最外層を脱膜処理が施された発泡樹脂層とすると、払拭具の水切れがよくなり、衛生的である。また溝（小孔）が形成された層を、脱膜処理が施されていないかまたは施されていても不充分な、膜が残存する発泡樹脂層とすると、洗浄剤の保持性能が高いため、その洗浄剤と小孔を通る空気との接触が効率的におこなわれ、泡立ち性能が一層向上する。
【図面の簡単な説明】
【００１４】
【図１】実施形態の払拭具の斜視図
【図２】実施形態の払拭具の分解斜視図
【図３】従来の払拭具の斜視図
【考案を実施するための形態】
【００１５】
以下、図面を参照しつつ考案の実施形態について説明する。
【００１６】
図１および図２に示す実施形態の払拭具１０は、弾性を有する直方体（ブロック型）であり、その各面は、対向一対の上面１１および下面１２と、この上下面の長手方向の両側辺間に位置する対向一対の側面１３、１３と、この上下面の長手方向の両端辺間に位置する対向一対の端面１４、１４と、から構成される。
【００１７】
図示のように、各面の大小関係については、一番大きな面が上下面１１、１２であり、二番目に大きな面が両側面１３、１３であり、三番目に大きな面（一番小さな面）が両端面１４、１４である。
ここで通常の使用状態では、この払拭具１０は上下面１１、１２の一方の面から両側面１３、１３にかけてを握り、したがって、その上下面１１、１２の一方の面（たとえば下面１２）に手のひらを当て両側面１３、１３に指を押し当て、上下面１１、１２の他方の面（たとえば上面１１）を払拭面として洗浄対象物に擦りつけることで用いられる。
この実施形態の払拭具１０の寸法は、特に限定されないが、手で握りやすい寸法として、上下面の長辺が１０〜１４ｃｍ、短辺が５〜７ｃｍ、厚みが３〜５ｃｍ程度が例示できる。
【００１８】
さらに実施形態の払拭具１０は、その厚み方向（上下面方向）に、それぞれ多孔質層である、上面側の上層１０ａ、下面側の下層１０ｂ、および中間の中層１０ｃが、三層に積層され、これらの対向面同士を貼り合わされることで形成されている。
なお、積層数については特に実施形態に限定されず、単層でもよいし、二層や四層以上でもよい。
【００１９】
上層１０ａおよび中層１０ｃは、いずれも樹脂発泡体から形成されている。その発泡樹脂の発泡度は特に限定されないが、この実施形態では中層１０ｃよりも上層１０ａのほうが大きくなっている。したがって、中層１０ｃよりも上層１０ａのほうが空隙が大きくなっている。
また、発泡体の脱膜処理の有無や程度も特に限定されないが、この実施形態では、上層１０ａはセルの脱膜処理がほぼ完全におこなわれているのに対して、中層１０ｃはセルの脱膜処理が完全にはおこなわれておらず、膜が一定程度意図的に残されている。
セルに膜がほとんど存在せずかつ空隙の大きな上層１０ａについては、保水性は劣るが水切り性能には優れるのに対して、セルに膜が残存しかつ空隙の小さな中層１０ｃについては、水切り性能は劣るが保水性には優れている。
【００２０】
いっぽう下層１０ｂは、樹脂製の不織布から形成されており、樹脂発泡体と比較して研磨性能に優れる。不織布の製法については特に限定されず、メルトブロー法、スパンボンド法など公知の製法を用いることが可能である。
【００２１】
各層１０ａ〜１０ｃを構成する樹脂の種類についても特に限定されず、ポリエチレン、メラミンなどの合成樹脂や、天然ゴムなどの天然樹脂が例示できる。
また、各層１０ａ〜１０ｃの厚みの比も特に限定されないが、ここでは不織布からなる下層１０ｂが一番厚みが小さく、中層１０ｃが下層１０ｂのほぼ２倍であり、上層１０ａが下層１０ｂのほぼ３倍となっている。
さらに、この実施形態では、樹脂発泡層と不織布層を混合しているが、樹脂発泡層のみでも、不織布層のみでも構わない。
【００２２】
図２のように、中層１０ｃの上層１０ａと対向する面には、両端面間に延びる角溝１５が複数並列（図では５つ）して形成されている。この角溝１５は中層１０ｃを厚み方向の中途までカッタ（スリッタ）で切削する等の任意の手段により形成される。
そして中層１０ｃと上層１０ａの対向面同士が、熱融着等の任意の手段により張り合わされることで、角溝１５の上部は上層１０ａによって閉塞され、また角溝１５の両端部は開放されたままとなって、この角溝１５が払拭具１０の両端面１４、１４間を貫通する角孔としての貫通小孔１５を構成している。
【００２３】
貫通小孔１５の孔径は、払拭具１０の素材に由来する微細孔よりも大きい限りにおいては、特に限定されないが、小さすぎると空気が流通しにくくなって泡立ち性能が低下し、大きすぎると払拭具の弾性が低下して研磨性能が低下するため、２〜７ｍｍが好ましい。
なお、貫通小孔１５の形成態様は実施形態に限定されず、払拭具１０を両端方向に打ち抜くことにより形成してもよい。また貫通小孔１５の形状も限定されず例えば丸孔でもよいし、その数も特に限定されない。実施形態では貫通小孔１５は一列に並列しているが、二列に並列していてもよいし、隣接する列上で貫通小孔１５が千鳥状をなすように配列されていてもよい。
【００２４】
実施形態の払拭具１０の構成は以上のようであり、洗浄作業時には、貫通小孔１５を通り抜ける空気が洗浄剤に随時補充されてゆくため、洗浄剤の泡立ちがよく、良好な洗浄効果を得ることができる。
洗浄対象物に擦り付けることがほとんどなく、また払拭具を握る際に指が押し当てられることもほとんどない払拭具１０の両端面１４、１４に貫通小孔１５が開口しているため、汚れが詰まったり、指が当たって損耗を早めたりするおそれもない。
一番厚みが大きくかつ最外層にある上層１０ａの水切り性能がよいため、払拭具１０全体としても水切りに優れ、空気が流通する貫通小孔１５が設けられている中層１０ｃの保水性（洗浄剤保持性）がよいため、泡立ち性能も優れている。貫通小孔１５は、水切り孔としても機能するため、払拭具１０は一層水切り性能に優れる。
【００２５】
なお、この実施形態では、上面１１が発泡樹脂からなる洗浄対象物を傷付けにくい上層１０ａで形成され、下面１２が不織布からなる研磨性能に優れた下層１０ｂで形成されている。このため、通常の汚れの場合には、上面１１を洗浄対象物に擦りつけ、汚れがこびりついていたりして甚だしい場合には、払拭具１０を持ちかえて（反転させて）、下面１２を洗浄対象物に擦りつけることになる。
【００２６】
今回開示された実施形態はすべての点で例示であって制限的なものではないと考慮されるべきである。本考案の範囲は実用新案登録請求の範囲によって示され、その範囲内でのすべての修正と変形を含むものであることが意図される。
【符号の説明】
【００２７】
１０  実施形態の払拭具
１０ａ  上層
１０ｂ  下層
１０ｃ  中層
１１  上面
１２  下面
１３  側面
１４  端面
１５  貫通小孔（角溝）
２０  従来の払拭具
２１  上面
２２  下面
２３  側面
２４  端面
２５  小孔
【図１】
0003173297.tif 000003
【図２】
0003173297.tif 000004
【図３】
0003173297.tif 000005